(57)【要約】【課題】記録前には高反射率で、記録後には低反射率を有し、かつ記録前後においてもトラッキング特性の調整が不要な光記録媒体を提供する。【解決手段】表面に凹凸部２Ａ、２Ｂが交互に形成された基板２上に反射層３と、記録層４と、保護層５と、カバー層６とが順次積層され、カバー層６側からレーザ光を照射して記録再生を行う際、レーザ光の照射側から見て遠い方の凹部側に記録する場合、凸部２Ａと凹部２Ｂにそれぞれ入射した入射光とこれらに対応して反射層３で反射する反射光の合計の光路長差をｄとし、凹部２Ｂで反射される反射光の位相が凸部２Ａで反射される反射光よりも遅れる場合の光路長差ｄが負で表わされるとき、記録層４は、記録前では、−４λ／８＜ｄ＜−３λ／８（λ：レーザ光の波長）、記録後では、−３λ／８＜ｄ＜−２λ／８の関係を満たす材料からなる。【選択図】      図１
2007334937.tif 000002
【特許請求の範囲】
【請求項１】
表面に凹凸部が交互に形成された基板上に反射層と、記録層と、保護層と、カバー層とが順次積層され、前記カバー層側から波長５００ｎｍ以下のレーザ光を照射して記録再生を行う光記録媒体において、
前記レーザ光の照射側から見て近い方を前記凸部とし、遠い方を前記凹部とし、前記凹部側に記録する場合に、前記記録層の屈折率をｎ、前記カバー層の屈折率をｎ0、前記凹凸部の段差をｄ0、前記凹部上の前記記録層の厚さをｄ1、前記凸部上の前記記録層の厚さをｄ2として、前記カバー層側から前記レーザ光を入射させた際の前記凸部と前記凹部にそれぞれ入射した入射光とこれらに対応する反射光の合計の光路長差ｄが、（ｄ2−ｄ1）（ｎ−ｎ0）−ｄ0ｎ0で表され、前記凹部で反射される反射光の位相が前記凸部で反射される反射光よりも遅れる場合の前記光路長差ｄが負で表されるとき、
前記レーザ光の波長をλとして、前記記録層は、記録前では、−４λ／８＜ｄ＜−３λ／８、記録後では、−３λ／８＜ｄ＜−２λ／８の関係を満たす材料からなることを特徴とする光記録媒体。
【請求項２】
表面に凹凸部が交互に形成された基板上に反射層と、記録層と、保護層と、カバー層とが順次積層され、前記カバー層側から波長５００ｎｍ以下のレーザ光を照射して記録再生を行う光記録媒体において、
前記レーザ光の照射側から見て近い方を前記凸部とし、遠い方を前記凹部とし、前記凸部側に記録する場合に、前記記録層の屈折率をｎ、前記カバー層の屈折率をｎ0、前記凹凸部の段差をｄ0、前記凹部上の前記記録層の厚さをｄ1、前記凸部上の前記記録層の厚さをｄ2として、前記カバー層側から前記レーザ光を入射させた際の前記凸部と前記凹部にそれぞれ入射した入射光とこれらに対応する反射光の合計の光路長差ｄが、−（ｄ2−ｄ1）（ｎ−ｎ0）＋ｄ0ｎ0で表され、前記凹部で反射される反射光の位相が前記凸部で反射される反射光よりも進む場合の前記光路長差ｄが正で表されるとき、
前記レーザ光の波長をλとして、前記記録層は、記録前では、０＜ｄ＜λ／８、記録後では、λ／８＜ｄ＜２λ／８の関係を満たす材料からなることを特徴とする光記録媒体。
【発明の詳細な説明】
【技術分野】
【０００１】
本発明は、記録前には高反射率で、記録後には低反射率を有し、かつ記録前後でプッシュプル信号の変化が低減され、安定したトラッキング動作が可能な光記録媒体に関するものである。
【背景技術】
【０００２】
最近、大容量の静止画像、動画像などの情報を記録再生する光記録媒体の開発が盛んに行われている。
このような光記録媒体は、特許文献１に記載されている。
特許文献１に記載されている光記録媒体は、表面に凹凸部が記録された基板上に反射層と、波長５００ｎｍ以下のレーザ光を吸収して変性する記録層と、保護層と、カバー層と、ハードコート層とが順次積層され、レーザ光の波長をλとするとき、凸部の深さを３λ／８にした構成を有している。
このようにすることにより、良好なトラッキング特性とＣ／Ｎを得ることができる。
【特許文献１】特開２００３−４５０７７号公報
【発明の開示】
【発明が解決しようとする課題】
【０００３】
しかしながら、プッシュプル信号は、情報の記録前後で記録層の屈折率の変化や熱変形等により変化を生じるので、良好なトラッキング特性を得るためには、記録前後で記録再生装置側で調整する必要があった。更に、記録前には高反射率で、記録後には低反射率の状態となっていない場合には、この光記録媒体を記録再生する記録再生装置を安定動作させることができなかった。
【０００４】
そこで、本発明は、上記のような問題点を解消するためになされたもので、記録前には高反射率で、記録後には低反射率を有し、かつ記録前後においてもトラッキング特性の調整が不要な光記録媒体を提供することを目的とする。
【課題を解決するための手段】
【０００５】
本願発明における第１の発明は、表面に凹凸部が交互に形成された基板上に反射層と、記録層と、保護層と、カバー層とが順次積層され、前記カバー層側から波長５００ｎｍ以下のレーザ光を照射して記録再生を行う光記録媒体において、前記レーザ光の照射側から見て近い方を前記凸部とし、遠い方を前記凹部とし、前記凹部側に記録する場合に、前記記録層の屈折率をｎ、前記カバー層の屈折率をｎ0、前記凹凸部の段差をｄ0、前記凹部上の前記記録層の厚さをｄ1、前記凸部上の前記記録層の厚さをｄ2として、前記カバー層側から前記レーザ光を入射させた際の前記凸部と前記凹部にそれぞれ入射した入射光とこれらに対応する反射光の合計の光路長差ｄが、（ｄ2−ｄ1）（ｎ−ｎ0）−ｄ0ｎ0で表され、前記凹部で反射される反射光の位相が前記凸部で反射される反射光よりも遅れる場合の前記光路長差ｄが負で表されるとき、前記レーザ光の波長をλとして、前記記録層は、記録前では、−４λ／８＜ｄ＜−３λ／８、記録後では、−３λ／８＜ｄ＜−２λ／８の関係を満たす材料からなることを特徴とする光記録媒体を提供する。
第２の発明は、表面に凹凸部が交互に形成された基板上に反射層と、記録層と、保護層と、カバー層とが順次積層され、前記カバー層側から波長５００ｎｍ以下のレーザ光を照射して記録再生を行う光記録媒体において、前記レーザ光の照射側から見て近い方を前記凸部とし、遠い方を前記凹部とし、前記凸部側に記録する場合に、前記記録層の屈折率をｎ、前記カバー層の屈折率をｎ0、前記凹凸部の段差をｄ0、前記凹部上の前記記録層の厚さをｄ1、前記凸部上の前記記録層の厚さをｄ2として、前記カバー層側から前記レーザ光を入射させた際の前記凸部と前記凹部にそれぞれ入射した入射光とこれらに対応する反射光の合計の光路長差ｄが、−（ｄ2−ｄ1）（ｎ−ｎ0）＋ｄ0ｎ0で表され、前記凹部で反射される反射光の位相が前記凸部で反射される反射光よりも進む場合の前記光路長差ｄが正で表されるとき、前記レーザ光の波長をλとして、前記記録層は、記録前では、０＜ｄ＜λ／８、記録後では、λ／８＜ｄ＜２λ／８の関係を満たす材料からなることを特徴とする光記録媒体を提供する。
【発明の効果】
【０００６】
本願発明によれば、凹部側に記録する場合には、前記記録層は、記録前では、−４λ／８＜ｄ＜−３λ／８、記録後では、−３λ／８＜ｄ＜−２λ／８の関係を満たす材料からなり、また凸部側に記録する場合には、記録層は、記録前では、０＜ｄ＜λ／８、記録後では、λ／８＜ｄ＜２λ／８の関係を満たす材料からなるので、記録前後においてもトラッキング特性の調整が不要な光記録媒体を得ることができる。
【発明を実施するための最良の形態】
【０００７】
以下に本発明の実施の形態に係る光記録媒体について図１及び図２を用いて説明する。
図１は、本発明の実施の形態における光記録媒体を示す図である。
図２は、プッシュプル信号及び反射光量の光路長差依存性を示す図である。
【０００８】
図１に示すように、本発明の実施の形態に係る光記録媒体１は、表面に凸部２Ａと凹部２Ｂが交互に形成された光ディスク基板２上に反射層３と、記録層４と、保護層５と、カバー層６とが順次積層された構成を有する。
記録再生を行うためのレーザ光は、波長が４０５ｎｍであり、カバー層６側から入射するようにする。この場合、反射層３及び保護層５の厚さは、凸部２Ａ及び凹部２Ｂ上で一定である。以下では、レーザ光の照射側から見て近い方を凸部２Ａといい、遠い方を凹部２Ｂという。
【０００９】
ここで、凸部２Ａに記録した場合と凹部２Ｂに記録した場合とにおける各光路長差と記録前後でプッシュプル信号の変化が低減できることとの関係について図２を用いて説明する。
この際、レーザ光は、凸部２Ａと凹部２Ｂに跨って照射された状態にあるとする。
まずは、凹部２Ｂに記録する場合について説明する。
記録層４の屈折率をｎ、カバー層６の屈折率をｎ0、凹部２Ｂと凸部２Ａの段差をｄ0、凹部２Ｂ上の記録層４の厚さをｄ1、凸部２Ａ上の記録層４の厚さをｄ2とするとき、カバー層６側から波長４０５ｎｍのレーザ光を入射させた際の凸部２Ａと凹部２Ｂにそれぞれ入射した入射光とこれらに対応して反射層３で反射される反射光の光路長差ｄは、（ｄ2−ｄ1）（ｎ−ｎ0）−ｄ0ｎ0である。
【００１０】
凹部２Ｂに入射して反射層３で反射される反射光は、凸部２Ａに入射して反射される反射光の位相よりも遅れるので、光路長差ｄを負で表す。また、記録前には、記録層４に用いられる有機色素は、高屈折率の状態であるが、記録後には、屈折率が減少して低屈折率となるので、凸部２Ａと凹部２Ｂ上の反射層３でそれぞれ反射されて戻るレーザ光の光路長の差の変化に応じて反射光量が変化する。
【００１１】
プッシュプル信号Ｐは、４λ／８周期の光路長差ｄで正弦波的に変化し、反射層３で反射されたレーザ光の反射光量Ｑは、光路長差ｄに対してプッシュプル信号の正弦波をλ／８ずらせた周期の正弦波で変化することが知られている。
【００１２】
図２に示すように、記録前では、光路長差ｄは、反射光量ａが得られる−４λ／８＜ｄ＜−３λ／８の範囲内にあり、記録後では、反射光量ｂが得られる−３λ／８＜ｄ＜−２λ／８の範囲内にある記録層４の材料を用いることにより、記録前後でのプッシュプル信号の変化を低減できる。
【００１３】
次に、凸部２Ａに記録する場合について説明する。
この場合の光路長差ｄは、−（ｄ2−ｄ1）（ｎ−ｎ0）＋ｄ0ｎ0である。
凸部２Ａに記録する際、凸部２Ａに入射して反射層３で反射される反射光は、凹部２Ｂに入射して反射される反射光の位相よりも進むので、光路長差ｄを正で表す。
【００１４】
図２に示すように、記録前では、光路長差ｄは、反射光量ａが得られる０＜ｄ＜λ／８の範囲内にあり、記録後では、反射光量ｂが得られるλ／８＜ｄ＜２λ／８の範囲内にある記録層４の材料を用いることにより、記録前後でのプッシュプル信号の変化を低減できる。
上記の条件を満たす記録層４の材料としては、シアニン色素、スクワリリウム色素、ポルフィリン色素、フタロシアニン色素等が用いられる。
このため、記録前には高反射率で、記録後には低反射率を有し、プッシュプル信号の変化が低減される結果、トラッキング特性の変動を抑制できるので、記録再生する際に用いられる光ディスク装置の調整が不要な光記録媒体を得ることができる。
【００１５】
光記録媒体１の製造方法について以下に説明する。
（凹部記録用の場合）
まずは、凹部記録用の場合について説明する。
射出成形により、直径１２０ｎｍ、厚さ１ｍｍの非晶ポリオレフィン（ＡＰＯ樹脂）の表面に凸部２Ａ、凹部２Ｂを有した光ディスク基板２を作製する。
この時の凸部２Ａと凹部２Ｂの段差は４０ｎｍであり、トラックピッチは、３２０ｎｍである。
【００１６】
次に、図示しないスパッタ装置のスパッタ室内に光ディスク基板２を導入した後、Ａｒガス雰囲気中でＡｇターゲットをスパッタして厚さ１００ｎｍの反射層３を形成する。
【００１７】
次に、スピンコート法により反射層３上に屈折率が２の有機色素を塗布して記録層４を形成する。
この結果、記録層４の厚さは、凸部２Ａ上では、１００ｎｍ、凹部２Ｂ上では、１１０ｎｍである。
【００１８】
次に、スパッタリング法等の真空成膜法により、誘電体材料からなる保護層５を形成する。
【００１９】
次に、スピンコート法により保護層５上に紫外線硬化樹脂を塗布した後、紫外線を照射して硬化させ、カバー層６を形成して光記録媒体１を作製する。
【００２０】
（凸部記録用の場合）
次に、凸部記録用の場合について説明する。
射出成形により、直径１２０ｎｍ、厚さ１ｍｍの非晶ポリオレフィン（ＡＰＯ樹脂）の表面に凸部２Ａ、凹部２Ｂを有した光ディスク基板２を作製する。
この時の凸部２Ａと凹部２Ｂの段差は１００ｎｍであり、トラックピッチは、３２０ｎｍである。
【００２１】
次に、図示しないスパッタ装置のスパッタ室内に光ディスク基板２を導入した後、Ａｒガス雰囲気中でＡｇターゲットをスパッタして厚さ１００ｎｍの反射層３を形成する。
【００２２】
次に、スピンコート法により反射層３上に屈折率が２の有機色素を塗布して記録層４を形成する。
この結果、記録層４の厚さは、凸部２Ａ上では、５０ｎｍ、凹部２Ｂ上では、１００ｎｍである。
以下は、凹部の場合と同様にして光記録媒体１を作製した。
【００２３】
以上のようにして作製した光記録媒体１の記録前後におけるプッシュプル信号の変化について調べた。プッシュプル信号の変化測定の際には、波長４０５ｎｍのレーザ光を光記録媒体１のカバー層６側から入射させた。
その結果、（凹部記録用の場合）及び（凸部記録用の場合）の両方共に記録前後のプッシュプル信号は、０．２〜０．６となり、その変化は大幅に低減された。また、光記録媒体１の反射率は、１２〜２４％であった。
この際、（凹部記録用の場合）及び（凸部記録用の場合）共に、記録後の記録層４の屈折率を測定したところ、記録層４の屈折率は、１．５に減少していた。そして、（凹部記録用の場合）では、記録前の光路長差は、λ／１６であるのに対して、記録後の光路長差は、３λ／１６であった。（凸部記録用の場合）では、記録前の光路長差は、−７λ／１６であるのに対して、記録後の光路長差は、−５λ／１６であった。
上記では、記録層４は１層であったが、２層の場合には、その反射率は４〜８％であった。なお、レーザ光の波長は、５００ｎｍ以下であれば同様な効果が得られる。
【図面の簡単な説明】
【００２４】
【図１】本発明の実施の形態における光記録媒体を示す図である。
【図２】プッシュプル信号及び反射光量の光路長差依存性を示す図である。
【符号の説明】
【００２５】
１…光記録媒体、２…基板、２Ａ…凸部、２Ｂ…凹部、３…反射層、４…記録層、５…保護層、６…カバー層
【図１】
2007334937.tif 000003
【図２】
2007334937.tif 000004